(57)【要約】【課題】  用紙サイズが異なる複数の原稿の画像を順次各原稿の用紙サイズに対応する記録用紙上に形成する際に、原稿の用紙サイズに対応する記録用紙が給紙カセットに収容されていないことにより画像形成処理を停止して、代替して使用すべき記録用紙の用紙サイズの指示操作を要求する画像形成装置において、当該要求を行う回数を最小限に抑えることにより、操作の簡素化を図ることを可能とする画像形成装置を提供する。【解決手段】  記録用紙が収容されていない給紙部に代替して選択すべき代替給紙部を記憶するための記憶手段２８を備え、原稿の用紙サイズに応じて選択した給紙部に記録用紙が収容されていない場合に、前記記憶手段２８が記憶している前記代替給紙部から記録用紙を取り出して原稿の画像を形成する。【選択図】      図１１
2005280870.tif 000002
【特許請求の範囲】
【請求項１】
それぞれ異なる用紙サイズの記録用紙を収容する複数の給紙部を有し、１つのジョブとして連続的に読取られた、用紙サイズが異なる複数の原稿の画像をそれぞれの原稿の用紙サイズに応じて前記複数の給紙部から選択して取り出した記録用紙に順次形成する手段を備えた画像形成装置において、
記録用紙が収容されていない給紙部に代替して選択すべき代替給紙部を記憶するための記憶手段と、原稿の用紙サイズに応じて選択した給紙部に記録用紙が収容されているか否かを判断する判断手段と、該判断手段により記録用紙が給紙部に収容されていないと判断し、且つ、前記記憶手段に代替給紙部が記憶されている場合に、当該代替給紙部から記録用紙を取り出して原稿の画像を形成する第１画像形成手段と、前記判断手段により記録用紙が給紙部に収容されていないと判断し、且つ、前記記憶手段に代替給紙部が記憶されていない場合に、給紙部に記録用紙が収容されていない旨を報知するとともに画像形成処理を中断する手段と、前記中断中に、前記記録用紙が収容されていない給紙部に代替して選択すべき他の給紙部の指示を受付ける受付手段と、受付けた他の給紙部を前記代替給紙部として前記記憶手段に記憶するとともに、中断した前記画像形成処理を再開して記憶した前記代替給紙部から記録用紙を取り出して原稿の画像を形成する第２画像形成手段と、を備えることを特徴とする画像形成装置。
【請求項２】
それぞれ異なる用紙サイズの記録用紙を収容する複数の給紙部を有し、１つのジョブとして連続的に読取られた、用紙サイズが異なる複数の原稿の画像をそれぞれの原稿の用紙サイズに応じて前記複数の給紙部から選択して取り出した記録用紙に順次形成する手段を備えた画像形成装置において、
原稿の用紙サイズに応じて選択される給紙部に代替して選択すべき代替給紙部を給紙部毎に記憶するための記憶手段と、原稿の用紙サイズに応じて選択した給紙部に記録用紙が収容されているか否かを判断する判断手段と、該判断手段により記録用紙が給紙部に収容されていないと判断し、且つ、該給紙部に対応する代替給紙部が前記記憶手段に記憶されている場合に、当該代替給紙部から記録用紙を取り出して原稿の画像を形成する第３画像形成手段と、前記判断手段により記録用紙が給紙部に収容されていないと判断し、且つ、該給紙部に対応する代替給紙部が前記記憶手段に記憶されていない場合に、給紙部に記録用紙が収容されていない旨を報知するとともに画像形成処理を中断する手段と、前記中断中に、前記記録用紙が収容されていない給紙部に代替して選択すべき他の給紙部の指示を受付ける受付手段と、受付けた他の給紙部を記録用紙が収容されていない前記給紙部の代替給紙部として前記記憶手段に記憶するとともに、中断した前記画像形成処理を再開して記憶した前記代替給紙部から記録用紙を取り出して原稿の画像を形成する第４画像形成手段と、を備えることを特徴とする画像形成装置。
【請求項３】
原稿単位処理モード又はジョブ単位処理モードの何れかの指定を受付けて設定する原稿処理モード設定手段をさらに備え、原稿処理モードが原稿単位処理モードに設定されている場合には、前記第２又は第４画像形成手段は、前記受付手段が受付けた他の給紙部を前記代替給紙部として前記記憶手段に記憶せずに、中断した前記画像形成処理を再開して前記受付手段が受付けた代替給紙部から記録用紙を取り出して原稿の画像を形成する、ことを特徴とする請求項１又は２記載の画像形成装置。
【発明の詳細な説明】
【技術分野】
【０００１】
本発明は、画像を記録用紙上に形成する画像形成装置に関し、詳しくは、用紙サイズが異なる複数の原稿がＡＤＦ（自動原稿給送装置）を利用するなどして連続的に読取られた画像を順次各原稿の用紙サイズに対応する記録用紙上に形成する機能を備えた画像形成装置に関する。
【背景技術】
【０００２】
近年のＡＤＦを備えた複写機等の画像形成装置は、用紙サイズが異なる複数の原稿がＡＤＦに混載されても、同じ用紙サイズの複数の原稿がＡＤＦに載置された場合と同様に、連続的に複写処理することができるものが多い。かかる複写機は、ＡＤＦに載置されて順次繰り出される原稿の用紙サイズを１枚毎に判別し、原稿１枚毎に画像形成すべき記録用紙の用紙サイズを決定する。そして、決定したサイズの記録用紙を当該用紙サイズの記録用紙が収容されている給紙カセットから取り出して、これに対応する原稿の画像を形成する。
【０００３】
なお、特許文献１には、ブックスキャナ等を用いて画像を読取った原稿の用紙サイズが非定型サイズであるため、原稿に対応する記録用紙の用紙サイズが判別できない場合、ユーザに画像を形成すべき記録用紙の用紙サイズの指示を要求する画像形成装置が開示されている。この装置は、記録用紙の用紙サイズが指示されると、指示された用紙サイズの記録用紙上に原稿の画像を形成し、前記非定型サイズの原稿の用紙サイズと指示された記録用紙の用紙サイズの対応を記憶し、その後、前記非定型サイズの原稿と同じ用紙サイズの原稿の画像を読取った場合に、当該原稿の用紙サイズと対応付けて記憶している用紙サイズの記録用紙上にその原稿の画像を形成する。従って、この画像形成装置によれば、原稿の用紙サイズに対応する記録用紙を判別できない原稿であっても、１度用紙サイズの指示操作を行えば、その後同サイズの原稿の画像を読取ったときに再び指示操作をする必要がなくなる。
【特許文献１】特開２００３−２６７５７０号公報
【発明の開示】
【発明が解決しようとする課題】
【０００４】
しかしながら、従来のＡＤＦを備えた複写機等の画像形成装置において、用紙サイズが異なる複数の原稿がＡＤＦを利用するなどして連続的に読取られた画像を順次各原稿用紙サイズに対応する記録用紙上に形成する１つのジョブを実行している際に、何れかの原稿の用紙サイズに対応する記録用紙が給紙カセットに収容されていない場合に、当該用紙サイズに代えて画像を形成すべき記録用紙の用紙サイズの指示を要求し、原稿と記録用紙の用紙サイズの対応を記憶して、ユーザの指示操作を省略できるようなものは存在しなかった。そのため、再度同サイズの原稿の画像を形成しようとするときは、その都度、画像形成処理動作が停止し、ユーザは使用すべき記録用紙の用紙サイズを指示操作しなければならなかった。
【０００５】
本発明は、以上のような問題点に鑑みてなされたものであり、用紙サイズが異なる複数の原稿の画像を順次各原稿の用紙サイズに対応する記録用紙上に形成する際に、原稿の用紙サイズに対応する記録用紙が給紙カセットに収容されていないことにより画像形成処理を停止して、代替して使用すべき記録用紙の用紙サイズの指示操作を要求する画像形成装置において、当該要求を行う回数を最小限に抑えることにより、操作の簡素化を図ることを可能とする画像形成装置を提供することを目的とする。
【課題を解決するための手段】
【０００６】
上記目的を達成するための請求項１記載の画像形成装置は、それぞれ異なる用紙サイズの記録用紙を収容する複数の給紙部を有し、１つのジョブとして連続的に読取られた、用紙サイズが異なる複数の原稿の画像をそれぞれの原稿の用紙サイズに応じて前記複数の給紙部から選択して取り出した記録用紙上に順次形成する手段を備えた画像形成装置において、記録用紙が収容されていない給紙部に代替して選択すべき代替給紙部を記憶するための記憶手段と、原稿の用紙サイズに応じて選択した給紙部に記録用紙が収容されているか否かを判断する判断手段と、該判断手段により記録用紙が給紙部に収容されていないと判断し、且つ、前記記憶手段に代替給紙部が記憶されている場合に、当該代替給紙部から記録用紙を取り出して原稿の画像を形成する第１画像形成手段と、前記判断手段により記録用紙が給紙部に収容されていないと判断し、且つ、前記記憶手段に代替給紙部が記憶されていない場合に、給紙部に記録用紙が収容されていない旨を報知するとともに画像形成処理を中断する手段と、前記中断中に、前記記録用紙が収容されていない給紙部に代替して選択すべき他の給紙部の指示を受付ける受付手段と、受付けた他の給紙部を前記代替給紙部として前記記憶手段に記憶するとともに、中断した前記画像形成処理を再開して記憶した前記代替給紙部から記録用紙を取り出して原稿の画像を形成する第２画像形成手段と、を備えることにある。
【０００７】
請求項２記載の画像形成装置は、それぞれ異なる用紙サイズの記録用紙を収容する複数の給紙部を有し、１つのジョブとして連続的に読取られた、用紙サイズが異なる複数の原稿の画像をそれぞれの原稿の用紙サイズに応じて前記複数の給紙部から選択して取り出した記録用紙上に順次形成する手段を備えた画像形成装置において、原稿の用紙サイズに応じて選択される給紙部に代替して選択すべき代替給紙部を給紙部毎に記憶するための記憶手段と、原稿の用紙サイズに応じて選択した給紙部に記録用紙が収容されているか否かを判断する判断手段と、該判断手段により記録用紙が給紙部に収容されていないと判断し、且つ、該給紙部に対応する代替給紙部が前記記憶手段に記憶されている場合に、当該代替給紙部から記録用紙を取り出して原稿の画像を形成する第３画像形成手段と、前記判断手段により記録用紙が給紙部に収容されていないと判断し、且つ、該給紙部に対応する代替給紙部が前記記憶手段に記憶されていない場合に、給紙部に記録用紙が収容されていない旨を報知するとともに画像形成処理を中断する手段と、前記中断中に、前記記録用紙が収容されていない給紙部に代替して選択すべき他の給紙部の指示を受付ける受付手段と、受付けた他の給紙部を記録用紙が収容されていない前記給紙部の代替給紙部として前記記憶手段に記憶するとともに、中断した前記画像形成処理を再開して記憶した前記代替給紙部から記録用紙を取り出して原稿の画像を形成する第４画像形成手段と、を備えることにある。
【０００８】
請求項３記載の画像形成装置は、請求項１又は２記載の画像形成装置において、原稿単位処理モード又はジョブ単位処理モードの何れかの指定を受付けて設定する原稿処理モード設定手段をさらに備え、原稿処理モードが原稿単位処理モードに設定されている場合には、前記第２又は第４画像形成手段は、前記受付手段が受付けた他の給紙部を前記代替給紙部として前記記憶手段に記憶せずに、中断した前記画像形成処理を再開して前記受付手段が受付けた代替給紙部から記録用紙を取り出して原稿の画像を形成する、ことにある。
【発明の効果】
【０００９】
請求項１の発明によれば、代替して使用すべき記録用紙の用紙サイズの指示操作を１回に抑えることができ、操作の簡素化を図ることができる。
【００１０】
請求項２の発明によれば、代替して使用すべき記録用紙の用紙サイズの指示操作を記録用紙が収容されていない給紙部毎に各１回行えばよいので、指示操作の簡素化を図ることができる。また、記録用紙が収容されていない給紙部に代替して選択すべき代替給紙部は給紙部毎に記憶されるので、本来使用すべき用紙サイズの記録用紙が給紙部に収容されていなくても、次に適した用紙サイズの記録用紙上に画像を形成することができる。
【００１１】
請求項３の発明によれば、原稿の用紙サイズに応じて選択した給紙カセットに記録用紙が収容されてない場合に、原稿１枚毎にユーザが代替して選択すべき給紙部を指示することができる。これにより、例えば、原稿の用紙サイズに応じて選択した給紙カセットに記録用紙が収容されていない場合に、自動的に他の給紙部から記録用紙を取り出して、原稿の画像を形成すると、画像を形成された記録用紙の大部分に余白ができるため、都合が悪いと感じるときなどは、ユーザは代替して選択すべき給紙部を原稿１枚毎に指示することができる。
【発明を実施するための最良の形態】
【００１２】
以下、本発明の実施形態に係る画像形成装置１について、図面に基づいて説明する。画像形成装置１は、図１に示すように、制御部（ＭＰＵ：Microprocessing Unit）２、原稿読取部３、コーデック４、画像メモリ５、記録部６、操作部７、表示部８、ＲＯＭ（Read Only Memory）９、及びＲＡＭ（Random Access Memory）１０を備えたものであって、各部２乃至１０はバス１１によって通信可能に接続されている。
【００１３】
制御部（ＭＰＵ）２は、画像形成装置１の各部の動作を制御する制御手段として機能する。原稿読取部３は、原稿の画像を読取るものであり、原稿を自動的に搬送する自動原稿給送装置（ＡＤＦ：Automatic Document Feeder）１２を用いて原稿の画像を読取る場合、図２に示すように、自動原稿給送装置１２は、原稿トレイ１３に載置された原稿を１枚ずつ、複数のローラ１４の駆動により搬送路１５へと送り込み、画像読取センサ１６によって画像が読取られた原稿を、排紙トレイ１７に排出する。搬送路１５の入り口付近には、原稿センサ１８が、図３の概念図に示すように、原稿Ａが搬送される方向に対して直角方向に適宜間隔をおいて複数個設けられており、検知信号が原稿サイズ検出回路１９に出力されるようになっている。なお、複数のローラ１４は、図示しないステップモータの駆動力が伝達されて駆動する。
【００１４】
原稿サイズ検出回路１９は、各原稿センサの出力信号の状態から原稿の用紙幅を検出すると同時に、各原稿センサの出力信号の状態と、ステップモータの回転数とに基づき、原稿の用紙長さを検出する。
【００１５】
コーデック４は、原稿読取部３から出力された画像データをＪＰＥＧ（Joint Photographic Experts Group）方式又はＭＨ（Modified Huffman）、ＭＲ（Modified Read）、ＭＭＲ（Modified Modified Read）方式等により順次圧縮符号化する。画像メモリ５は、原稿読取部３から出力された画像データやコーデック４において符号化された画像データ等を格納する。
【００１６】
記録部６は、それぞれ異なるＢ５、Ａ４、Ｂ４、Ａ３等の用紙サイズの記録用紙を収容する複数の給紙部としての給紙カセット２０ａ乃至２０ｄを有し、制御部２が選択した給紙カセットから、所定の用紙サイズの記録用紙を取り出し、その記録用紙上に画像メモリ５から読み出された画像データの画像を形成する。画像データの画像を記録用紙上に形成する場合、図２に示すように、所定の給紙カセットから、給紙ローラ２１の駆動により、１枚ずつ記録用紙を取り出して、搬送路２２に送り込み、複数のローラ２３の駆動により、記録用紙を搬送路２２に沿って、感光体ドラム２４の方へ搬送する。そして、感光体ドラム２４により画像を形成された記録用紙は、排紙ローラ２５の駆動により、排紙トレイ２６に排紙される。複数の給紙カセット２０ａ乃至２０ｄのそれぞれには、図示しないが、記録用紙の有無を検知する記録用紙センサが設けられている。
【００１７】
操作部７は、原稿の画像を記録用紙上に形成することを指示するためのスタートキー、コピー部数等を入力するためのテンキー、各種設定を行うためのカーソルキーなど、表示部８と連動した各種操作キーを備えている。表示部８は、例えば、図４に示すように、各種の設定画面や画像形成装置１の動作状態などを表示する。また、原稿トレイ１３に載置された用紙サイズが異なる複数の原稿の画像を自動原稿給送装置１２を用いて連続的に読取って、読取った（１つのジョブとして連続的に読取られた）用紙サイズが異なる原稿の画像をそれぞれの原稿の用紙サイズに応じて複数の給紙カセット２０ａ乃至２０ｄから選択して取り出した記録用紙上に順次形成する混載原稿モードの設定を受け付ける混載原稿モードボタン２７を備えている。ユーザによって混載原稿モードボタン２７が押圧されると、この設定を受け付けてＲＡＭ１０に記憶し、ＲＡＭ１０がこの設定を記憶しているときは、図示しないが、混載原稿モードボタン２７の背景と文字の色が反転する。
【００１８】
ＲＯＭ９は、制御部２によりこの画像形成装置１の各部の動作が制御されるための各種プログラムを格納している。ＲＡＭ１０は、画像形成装置１の処理動作に用いる設定情報や動作情報等の各種データを読出し及び書込み可能な状態で格納するメモリである。また、ＲＡＭ１０は、記録用紙が収容されていない給紙部に代替して選択すべき代替給紙カセットを記憶するための記憶手段であり、なお且つ、原稿の用紙サイズに応じて選択される給紙部に代替して選択すべき代替給紙カセットを給紙カセット毎に記憶するための記憶手段であるカセット記憶領域２８を形成する。
【００１９】
上述の構成を備える画像形成装置１は、用紙サイズが異なる複数の原稿が自動原稿給送装置１２に混載され、混載原稿モードで画像形成処理を行っている際に、選択した給紙カセットに記録用紙が収容されていないと判断した場合、画像形成処理を中断して、ユーザに、代替して選択すべき他の給紙カセットの指示、及び、画像形成処理再開後に再び、選択した給紙カセットに記録用紙が収容されていないことが検出された場合に実行すべき処理モードの指示を要求する。指示される処理モードは、第１ジョブ単位処理モード、第２ジョブ単位処理モード、及び原稿単位処理モードの中からユーザによって選択指定される。以下、各原稿処理モードについて説明する。
【００２０】
第１ジョブ単位処理モードが指定された場合の処理動作について図５に基づいて説明する。例えば、図示するように４つの給紙カセット２０ａ乃至２０ｄのうち、記録用紙が収容されていない給紙カセット２０ａ、２０ｂが２つ存在する状態で、前述のように画像形成処理が中断され、ユーザによって、第１ジョブ単位処理モード及び代替して選択すべき給紙カセット２０ｃの指示がなされると、制御部２は、指示された給紙カセット２０ｃを代替給紙カセットとしてカセット記憶領域２８に記憶する。そして、中断した画像形成処理を再開し、記録部６を制御して、代替給紙カセット２０ｃから記録用紙を取り出して、原稿Ｂの画像を形成する（第２画像形成手段）。その後、制御部２は、原稿Ｃの用紙サイズに応じて選択した給紙カセット２０ｃに記録用紙が収容されていると判断した場合は、選択した給紙カセット２０ｃから記録用紙を取り出して原稿Ｃの画像を形成し、原稿Ｄの用紙サイズに応じて選択した給紙カセット２０ｂに記録用紙が収容されていないと判断した場合は、記録部６を制御して、カセット記憶領域２８に記憶している代替給紙カセット２０ｃから記録用紙を取り出して原稿Ｄの画像を形成する（第１画像形成手段）。なお、カセット記憶領域２８の記憶は、混載原稿モードによる１つのジョブが終了すると消去される。
【００２１】
第２ジョブ単位処理モードが指定された場合の処理動作について図６に基づいて説明する。例えば、図示するように４つの給紙カセット２０ａ乃至２０ｄのうち、記録用紙が収容されていない給紙カセット２０ａ、２０ｃが２つ存在する状態で、前述のように画像形成処理が中断され、ユーザによって、第２ジョブ単位処理モード及び代替して選択すべき給紙カセット２０ｂの指示がなされると、制御部２は、指示された給紙カセット２０ｂを給紙カセット２０ａの代替給紙カセットとしてカセット記憶領域２８に記憶する。そして、中断した画像形成処理を再開し、記録部６を制御して、代替給紙カセット２０ｂから記録用紙を取り出して、原稿Ｅの画像を形成する（第４画像形成手段）。その後、制御部２は、原稿Ｆの用紙サイズに応じて選択した給紙カセット２０ｃに記録用紙が収容されていないと判断し、当該給紙カセット２０ｃに対応する代替給紙カセットがカセット記憶領域２８に記憶されていないと判断した場合は、画像形成処理を中断して、他の給紙カセットの指示を要求し、指示された給紙カセット２０ｄを給紙カセット２０ｃの代替給紙カセットとしてカセット記憶領域２８に記憶する。そして、中断した画像形成処理を再開し、記録部６を制御して、記憶した代替給紙カセット２０ｄから記録用紙を取り出して原稿の画像を形成する。その後、制御部２は、原稿Ｇ、Ｈの用紙サイズに応じて選択した給紙カセット２０ａ、２０ｃに記録用紙が収容されていないと判断し、当該給紙カセットに対応する代替給紙カセットがカセット記憶領域２８に記憶されているか否かを判断する。この場合は、上述のように、給紙カセット２０ａの代替給紙カセットとして給紙カセット２０ｂが、給紙カセット２０ｃの代替給紙カセットとして給紙カセット２０ｄが既に記憶されているので、画像形成処理を中断することなく、記録部６を制御して、カセット記憶領域２８に記憶している代替給紙カセット２０ｂ、２０ｄから記録用紙を取り出して原稿Ｇ、Ｈの画像を形成する（第３画像形成手段）。なお、カセット記憶領域２８の記憶は、混載原稿モードによる１つのジョブが終了すると消去される。
【００２２】
原稿単位処理モードが指定された場合の処理動作について説明する。前述のように画像形成処理が中断され、ユーザによって、原稿単位処理モード及び代替して選択すべき給紙カセットの指示がなされると、制御部２は、指示された他の給紙カセットを一時的にＲＡＭ１０に記憶するとともに該給紙カセットから記録用紙を取り出して画像形成する。このとき、指示された他の給紙カセットは、ＲＡＭ１０に一時的に記憶されるが、各頁の画像形成処理が完了するとともに消去される。すなわち、第１及び第２ジョブ単位処理モードのように、指示された他の給紙カセットは代替給紙カセットとしてカセット記憶領域２８に記憶されない。そして、画像形成処理再開後も選択した給紙カセットに記録用紙が収容されていない場合、画像形成処理を中断して、指示された他の給紙カセットから記録用紙を取り出して原稿の画像を形成する。
【００２３】
上記のように構成された画像形成装置１において、原稿トレイ１３に載置された用紙サイズが異なる複数の原稿の画像を連続的に読取って、読取った画像を記録用紙上に順次形成する場合の画像形成装置１の処理動作について、図７乃至図１０に示すフローチャートに基づいて説明する。なお、以下のフローチャートに基づいて説明する画像形成装置１の処理動作は、ＲＯＭ９に格納されている制御プログラムに基づいて制御部２が発行する命令に従って行われる。
【００２４】
操作部７のスタートキーが押下されること等による、開始命令があると（Ｓ１：ＹＥＳ）、混載原稿モードの設定がなされているか否かを判断する（Ｓ２）。混載原稿モードの設定がなされていなければ（Ｓ２：ＮＯ）、複数の原稿の画像を記録用紙上に全て形成するまで、原稿１枚毎に画像を読取り、ユーザによって指示された設定や検出された原稿の用紙サイズ等に基づいて選択された給紙カセットから記録用紙を取り出して、その記録用紙上に画像を形成する（Ｓ３、Ｓ４）。
【００２５】
混載原稿モードの設定がなされていれば（Ｓ２：ＹＥＳ）、混載原稿モードで画像形成処理を開始する（Ｓ５）。まず、複数の原稿のうちの１枚の原稿の画像を読取るとともに、制御部２は、その原稿の用紙サイズに応じて選択した給紙カセットに記録用紙が収容されているか否かを判断する（Ｓ６）。具体的には、原稿の画像を読取るとともに原稿サイズ検出回路１９が検出した原稿の用紙長さ及び用紙幅に基づいて、制御部２は、使用すべき記録用紙の用紙サイズを決定し、決定した用紙サイズの記録用紙が収容されている給紙カセットを選択する。そして、原稿センサの検知結果に基づいて、選択した給紙カセットに記録用紙が収容されているか否かを判断する（判断手段）。なお、使用すべき記録用紙の用紙サイズの決定は、原稿の用紙サイズと、拡大／縮小等の倍率に基づいて行われるが、倍率が等倍である場合、原稿の用紙サイズを使用すべき記録用紙の用紙サイズとして決定する。
【００２６】
原稿の用紙サイズに応じて選択した給紙カセットに記録用紙が収容されていれば（Ｓ６：ＹＥＳ）、制御部２は、記録部６を制御して、選択した給紙カセットから記録用紙を取り出して、記録用紙上に読取った原稿の画像を形成する（Ｓ７）。そして、原稿トレイ１３に次原稿があれば（Ｓ８：ＹＥＳ）、次原稿に対して、前記Ｓ６の処理動作を行う。
【００２７】
原稿の用紙サイズに応じて選択した給紙カセットに記録用紙が収容されていないと判断した場合（Ｓ６：ＮＯ）、制御部２は、画像形成処理を中断して（Ｓ９）、選択した給紙カセットに記録用紙がないことと、原稿処理モードの指定を要求する情報を報知する（Ｓ１０）。例えば、図１１に示すように、表示部８に、画像形成処理が中断したことを報知するメッセージと、原稿処理モードの指定を要求するメッセージと、何れかの原稿処理モード（第１ジョブ単位処理モード、第２ジョブ単位処理モード、又は原稿単位処理モード）の指定を受付けて設定する原稿処理モード設定手段としての原稿処理モード設定ボタン２９と、給紙カセット内の記録用紙の有無を示す模式図と、を表示する。
【００２８】
原稿単位処理モードの指定を受付けると（Ｓ１１：原稿単位処理モード）、記録用紙が収容されていない給紙カセットに代替して選択すべき他の給紙カセットの指示を要求する情報を報知する（Ｓ１０１）。例えば、図１２に示すように、表示部８に、代替して選択すべき給紙カセットの指示を要求するメッセージと、設定している原稿処理モードを報知するメッセージと、記録用紙が収容されていない給紙カセットに代替して選択すべき他の給紙カセットの指示を受付ける受付手段としての給紙カセット指示ボタン３０と、給紙カセット内の記録用紙の有無を示す模式図と、を表示する。給紙カセット指示ボタン３０が選択され、他の給紙カセットが指示されると（Ｓ１０２：ＹＥＳ）、指示された他の給紙カセットから記録用紙を取り出して、読取った原稿の画像を形成する（Ｓ１０３）。次原稿があれば（Ｓ１０４：ＹＥＳ）、次原稿の画像を読取り、原稿の用紙サイズに応じて選択した給紙カセットに記録用紙が収容されているか否かを判断し（Ｓ１０５）、記録用紙が収容されていれば（Ｓ１０５：ＹＥＳ）、選択した給紙カセットから記録用紙を取り出して、読取った原稿の画像を記録用紙上に形成する（Ｓ１０６）。記録用紙が収容されていなければ（Ｓ１０５：ＮＯ）、画像形成処理を中断して（Ｓ１０７）、選択した給紙カセットに記録用紙が収容されていないことを報知し（Ｓ１０８）、前記Ｓ１０１乃至Ｓ１０４の処理動作を行う。原稿単位処理モードでは、ジョブが終了するまで、原稿１枚毎に、前記Ｓ１０１乃至Ｓ１０８の処理動作を繰り返し行う。これにより、例えば、原稿の用紙サイズに応じて選択した給紙カセットに記録用紙が収容されていない場合に、自動的に他の給紙カセットが選択されて、その記録用紙上に原稿の画像がされると、画像を形成された記録用紙の大部分に余白ができるため、都合が悪いと感じるときなどは、ユーザは代替して選択すべき給紙カセットを原稿１枚毎に指示することができる。
【００２９】
一方、Ｓ１１において、第１ジョブ単位処理モードの指定を受付けると（Ｓ１１：第１ジョブ単位処理モード）、前記Ｓ１０１と同様に、記録用紙が収容されていない給紙カセットに代替して選択すべき他の給紙カセットの指示を要求する情報を報知する（Ｓ２０１）。他の給紙カセットが指示されると（Ｓ２０２：ＹＥＳ）、指示された他の給紙カセットを代替給紙カセットとして、カセット記憶領域２８に記憶するとともに（Ｓ２０３）、記憶した代替給紙カセットから記録用紙を取り出して、読取った原稿の画像を形成する（Ｓ２０４）。そして、次原稿があれば（Ｓ２０５：ＹＥＳ）、次原稿の画像を読取り、原稿の用紙サイズに応じて選択したカセットに記録用紙が収容されているか否かを判断する（Ｓ２０６）。選択した給紙カセットに記録用紙が収容されている場合は（Ｓ２０６：ＹＥＳ）、選択した給紙カセットから記録用紙を取り出して、読取った原稿の画像を形成する（Ｓ２０７）。選択した給紙カセットに記録用紙が収容されておらず（Ｓ２０６：ＮＯ）、選択した給紙カセットに対応する代替給紙カセットをカセット記憶領域２８に記憶していれば（Ｓ２０８：ＹＥＳ）、代替給紙カセットに記録用紙が収容されているか否かを判断する（Ｓ２０９）。代替給紙カセットに記録用紙が収容されていれば（Ｓ２０９：ＹＥＳ）、代替給紙カセットから記録用紙を取り出して、読取った原稿の画像を形成する（Ｓ２１０）。代替給紙カセットに記録用紙が収容されていなければ（Ｓ２０９：ＮＯ）、画像形成処理を中断して（Ｓ２１１）、代替給紙カセットに記録用紙がないことを報知し（Ｓ２１２）、前記Ｓ２０１乃至Ｓ２０５の処理を行う。また、選択した給紙カセットに対応する代替給紙カセットをカセット記憶領域２８に記憶していなければ（Ｓ２０８：ＮＯ）、画像形成処理を中断し（Ｓ２１３）、選択した給紙カセットに記録用紙が収容されていないことを報知して（Ｓ２１４）、前記２０１乃至２０５の処理動作を行う。第２ジョブ単位処理モードでは、ジョブが終了するまで、原稿１枚毎に、前記Ｓ２０１乃至Ｓ２１４の処理動作を繰り返し行い、ジョブが終了すると、カセット記憶領域２８の情報を消去する（Ｓ２１５）。これにより、代替して使用すべき記録用紙の用紙サイズの指示操作を記録用紙が収容されていない給紙部毎に各１回行えばよいので、指示操作の簡素化を図ることができる。また、記録用紙が収容されていない給紙カセットに代替して選択すべき代替給紙カセットは給紙カセット毎に記憶されるので、本来使用すべき用紙サイズの記録用紙が給紙部に収容されていなくても、次に適した用紙サイズの記録用紙上に画像を形成することができる。
【００３０】
また一方、Ｓ１１において、第１ジョブ単位処理モードの指定を受付けると（Ｓ１１：第１ジョブ単位処理モード）、前記Ｓ１０１と同様に、記録用紙が収容されていない給紙カセットに代替して選択すべき他の給紙カセットの指示を要求する情報を報知する（Ｓ３０１）。他の給紙カセットが指示されると（Ｓ３０２：ＹＥＳ）、指示された他の給紙カセットを代替給紙カセットとして、カセット記憶領域２８に記憶するともに（Ｓ３０３）、記憶した代替給紙カセットから記録用紙を取り出して、読取った原稿の画像を形成する（Ｓ３０４）。そして、次原稿があれば（Ｓ３０５：ＹＥＳ）、次原稿の画像を読取り、原稿の用紙サイズに応じて選択した給紙カセットに記録用紙が収容されているか否かを判断する（Ｓ３０６）。選択した給紙カセットに記録用紙が収容されている場合は（Ｓ３０６：ＹＥＳ）、選択した給紙カセットから記録用紙を取り出して、読取った原稿の画像を形成する（Ｓ３０７）。選択した給紙カセットに記録用紙が収容されていない場合は（Ｓ３０６：ＮＯ）、カセット記憶領域２８に代替給紙カセットとして記憶している給紙カセットに記録用紙が収容されているか否かを判断する（Ｓ３０８）。記録用紙が収容されていれば（Ｓ３０８：ＹＥＳ）、代替給紙カセットから記録用紙を取り出して、読取った原稿の画像を形成する（Ｓ３０９）。代替給紙カセットに記録用紙が収容されていなければ（Ｓ３０８：ＮＯ）、画像形成処理を中断し（Ｓ３１０）、代替給紙カセットに記録用紙がないことを報知して（Ｓ３１１）、前記Ｓ３０１乃至前記Ｓ３０５の処理動作を行う。第１ジョブ単位処理モードでは、ジョブが終了するまで、原稿１枚毎に、前記Ｓ３０１至Ｓ３１１の処理動作を繰り返し行い、ジョブが終了すると、カセット記憶領域２８の情報を消去する（Ｓ３１２）。これにより、代替して使用すべき記録用紙の用紙サイズの指示操作を１回に抑えることができ、操作の簡素化を図ることができる。
【産業上の利用可能性】
【００３１】
本発明は、例えば、複写機能及び自動原稿給送機能を備えた画像形成装置に適用することができる。
【図面の簡単な説明】
【００３２】
【図１】本発明の実施形態に係る画像形成装置の構成を示す図。
【図２】本発明の実施形態に係る画像形成装置を示す概略断面図。
【図３】自動原稿給送装置によって原稿が搬送され、原稿幅等を検出するしくみを説明する説明図。
【図４】本発明の実施形態に係る画像形成装置の表示部に原稿処理モードボタンを表示した状態の一例を示す図。
【図５】選択される給紙カセットについての説明図。
【図６】選択される給紙カセットについての説明図。
【図７】本発明の実施形態に係る画像形成装置が実行する処理動作を示したフローチャート。
【図８】本発明の実施形態に係る画像形成装置が実行する処理動作を示したフローチャート。
【図９】本発明の実施形態に係る画像形成装置が実行する処理動作を示したフローチャート。
【図１０】本発明の実施形態に係る画像形成装置が実行する処理動作を示したフローチャート。
【図１１】代替給紙カセットの指示を要求する情報などを表示部に表示した状態の一例を示す図。
【図１２】原稿処理モードの指定を要求する情報などを表示部に表示した状態の一例を示す図。
【符号の説明】
【００３３】
１    画像形成装置
２    制御部
６    記録部
９    ＲＯＭ
１０  ＲＡＭ
２０  給紙カセット
２８  カセット記憶領域
２９  原稿処理モード設定ボタン
３０  給紙カセット指示ボタン
【図１】
2005280870.tif 000003
【図２】
2005280870.tif 000004
【図３】
2005280870.tif 000005
【図４】
2005280870.tif 000006
【図５】
2005280870.tif 000007
【図６】
2005280870.tif 000008
【図７】
2005280870.tif 000009
【図８】
2005280870.tif 000010
【図９】
2005280870.tif 000011
【図１０】
2005280870.tif 000012
【図１１】
2005280870.tif 000013
【図１２】
2005280870.tif 000014